【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
所定方向に列状に配列された複数の電子源を備えるカソードアレイと、
それぞれが前記複数の電子源に対応して列状に設けられ、該電子源から放出された電子の照射により放射線を発生する複数のターゲットと、前記ターゲットを保持する開口を備えた遮蔽部材と、を備え、前記複数のターゲットがそれぞれ前記遮蔽部材の前記開口に保持されたアノードアレイと、
を有するマルチ放射線発生装置であって、
前記複数のターゲットは、トモシンセシス撮影と非トモシンセシス撮影の両者に用いられる両用ターゲットと、トモシンセシス撮影にのみ用いられ前記所定方向に列状に配列された複数の単用ターゲットからなる単用ターゲットアレイと、を含み、
前記両用ターゲットは前記単用ターゲットアレイとともに前記遮蔽部材に接続されていることを特徴とするマルチ放射線発生装置。
【請求項２】
前記両用ターゲットは前記単用ターゲットアレイと一列で前記遮蔽部材に接続されていることを特徴とする請求項１に記載のマルチ放射線発生装置。
【請求項３】
前記ターゲットは、前記電子源に対向する側に位置するターゲット層と、前記ターゲット層を支持する支持基板と、からなることを特徴とする請求項１または２に記載のマルチ放射線発生装置。
【請求項４】
前記両用ターゲットの前記支持基板は、前記単用ターゲットの前記支持基板よりも厚いことを特徴とする請求項３に記載のマルチ放射線発生装置。
【請求項５】
前記両用ターゲットの前記支持基板は、前記単用ターゲットの前記支持基板よりも径が大きいことを特徴とする請求項３に記載のマルチ放射線発生装置。
【請求項６】
前記両用ターゲットは、前記電子が入射する方向に対して傾いて配置され、前記単用ターゲットは、前記電子が入射する方向に対して垂直に前記遮蔽部材に接続されていることを特徴とする請求項１または２に記載のマルチ放射線発生装置。
【請求項７】
前記遮蔽部材は、前記電子源の側に、前記ターゲットへの前記電子の照射を許容する通過孔と、前記電子源とは反対側に、前記ターゲットで発生した放射線の所定の方向への放出を許容する放出孔と、が設けられていることを特徴とする請求項１乃至６のいずれか１項に記載のマルチ放射線発生装置。
【請求項８】
前記両用ターゲットが接続される開口に対応する前記遮蔽部材の部分は、前記単用ターゲットに対応する前記遮蔽部材の部分よりも、前記ターゲットの配列方向に対して垂直であり、かつ、前記電子が照射される方向に対して垂直な方向において厚いことを特徴とする請求項７に記載のマルチ放射線発生装置。
【請求項９】
前記両用ターゲットに対応する前記遮蔽部材に放熱フィンが接続されていることを特徴とする請求項１に記載のマルチ放射線発生装置。
【請求項１０】
前記両用ターゲットに対応する前記遮蔽部材の通過孔または放出孔は、単用ターゲットに対応する前記遮蔽部材の通過孔または放出孔よりも、前記ターゲットと接する位置における径が小さいことを特徴とする請求項７に記載のマルチ放射線発生装置。
【請求項１１】
前記各ターゲットが有する前記遮蔽部材が、前記ターゲットの配列方向において連続に形成されていることを特徴とする請求項１乃至１０のいずれか１項に記載のマルチ放射線発生装置。
【請求項１２】
請求項１乃至１１のいずれか１項に記載のマルチ放射線発生装置と、
前記マルチ放射線発生装置から放出され、被検体を透過した放射線を検出する放射線検出装置と、
前記放射線発生装置と前記放射線検出装置とを連携制御するシステム制御装置とを備えることを特徴とする放射線撮影システム。
【請求項１３】
前記列状に配置された前記複数のターゲットより順次放射線を照射するトモシンセシス撮影モードと、前記両用ターゲットのみから放射線を照射する非トモシンセシス撮影モードと、を有することを特徴とする請求項１２に記載の放射線撮影システム。
【請求項１４】
前記システム制御装置は、トモシンセシス撮影モードにおいては、前記カソードアレイと前記アノードアレイとの間に、第１の加速電圧を印加させ、非トモシンセシス撮影モードにおいては、前記カソードアレイと前記アノードアレイとの間に、前記第１の加速電圧とは異なる第２の加速電圧を印加させる制御を行うことを特徴とする請求項１３に記載の放射線撮影システム。
【請求項１５】
所定方向に列状に配列された複数の電子源と、
それぞれが前記複数の電子源に対応して列状に設けられ、該電子源から放出された電子の照射により放射線を発生する複数のターゲットと、前記ターゲットを保持する開口を備えた遮蔽部材と、を備え、前記複数のターゲットがそれぞれ前記遮蔽部材の前記開口に保持されたマルチ放射線発生装置であって、
前記複数のターゲットは、トモシンセシス撮影と非トモシンセシス撮影の両者に用いられる両用ターゲットと、トモシンセシス撮影にのみ用いられ前記所定方向に列状に配列された複数の単用ターゲットからなる単用ターゲットアレイと、を含み、
前記両用ターゲットは前記単用ターゲットアレイとともに前記遮蔽部材に接続されていることを特徴とするマルチ放射線発生装置。
【請求項１６】
前記両用ターゲットは前記単用ターゲットアレイと一列で前記遮蔽部材に接続されていることを特徴とする請求項１５に記載のマルチ放射線発生装置。
【請求項１７】
前記ターゲットは、前記電子源に対向する側に位置するターゲット層と、前記ターゲット層を支持する支持基板と、からなることを特徴とする請求項１５または１６に記載のマルチ放射線発生装置。
【請求項１８】
前記両用ターゲットの前記支持基板は、前記単用ターゲットの前記支持基板よりも厚いことを特徴とする請求項１７に記載のマルチ放射線発生装置。
【請求項１９】
前記両用ターゲットの前記支持基板は、前記単用ターゲットの前記支持基板よりも径が大きいことを特徴とする請求項１７に記載のマルチ放射線発生装置。
【請求項２０】
前記両用ターゲットは、前記電子が入射する方向に対して傾いて配置され、前記単用ターゲットは、前記電子が入射する方向に対して垂直に前記遮蔽部材に接続されていることを特徴とする請求項１５または１６に記載のマルチ放射線発生装置。
【請求項２１】
前記遮蔽部材は、前記電子源の側に、前記ターゲットへの前記電子の照射を許容する通過孔と、前記電子源とは反対側に、前記ターゲットで発生した放射線の所定の方向への放出を許容する放出孔と、が設けられていることを特徴とする請求項１５乃至２０のいずれか１項に記載のマルチ放射線発生装置。
【請求項２２】
前記両用ターゲットが接続される開口に対応する前記遮蔽部材の部分は、前記単用ターゲットに対応する前記遮蔽部材の部分よりも、前記ターゲットの配列方向に対して垂直であり、かつ、前記電子が照射される方向に対して垂直な方向において厚いことを特徴とする請求項２１に記載のマルチ放射線発生装置。
【請求項２３】
前記両用ターゲットに対応する前記遮蔽部材に放熱フィンが接続されていることを特徴とする請求項１５に記載のマルチ放射線発生装置。
【請求項２４】
前記両用ターゲットに対応する前記遮蔽部材の通過孔または放出孔は、単用ターゲットに対応する前記遮蔽部材の通過孔または放出孔よりも、前記ターゲットと接する位置における径が小さいことを特徴とする請求項２１に記載のマルチ放射線発生装置。
【請求項２５】
前記各ターゲットが有する前記遮蔽部材が、前記ターゲットの配列方向において連続に形成されていることを特徴とする請求項１５乃至２４のいずれか１項に記載のマルチ放射線発生装置。
【請求項２６】
請求項１５乃至２５のいずれか１項に記載のマルチ放射線発生装置と、
前記マルチ放射線発生装置から放出され、被検体を透過した放射線を検出する放射線検出装置と、
前記放射線発生装置と前記放射線検出装置とを連携制御するシステム制御装置とを備えることを特徴とする放射線撮影システム。
【請求項２７】
前記列状に配置された前記複数のターゲットより順次放射線を照射するトモシンセシス撮影モードと、前記両用ターゲットのみから放射線を照射する非トモシンセシス撮影モードと、を有することを特徴とする請求項２６に記載の放射線撮影システム。
【請求項２８】
前記システム制御装置は、トモシンセシス撮影モードにおいては、前記複数の電子源と前記複数のターゲットとの間に、第１の加速電圧を印加させ、非トモシンセシス撮影モードにおいては、前記複数の電子源と前記複数のターゲットとの間に、前記第１の加速電圧とは異なる第２の加速電圧を印加させる制御を行うことを特徴とする請求項２７に記載の放射線撮影システム。
【手続補正２】
【補正対象書類名】明細書
【補正対象項目名】００１０
【補正方法】変更
【補正の内容】
【００１０】
上記課題を解決するために本発明の第１は、所定方向に列状に配列された複数の電子源を備えるカソードアレイと、
それぞれが前記複数の電子源に対応して列状に設けられ、該電子源から放出された電子の照射により放射線を発生する複数のターゲットと、前記ターゲットを保持する開口を備えた遮蔽部材と、を備え、前記複数のターゲットがそれぞれ前記遮蔽部材の前記開口に保持されたアノードアレイと、
を有するマルチ放射線発生装置であって、
前記複数のターゲットは、トモシンセシス撮影と非トモシンセシス撮影の両者に用いられる両用ターゲットと、トモシンセシス撮影にのみ用いられ前記所定方向に列状に配列された複数の単用ターゲットからなる単用ターゲットアレイと、を含み、
前記両用ターゲットは前記単用ターゲットアレイとともに前記遮蔽部材に接続されていることを特徴とするマルチ放射線発生装置を提供するものである。
また、本発明の第２は、所定方向に列状に配列された複数の電子源と、
それぞれが前記複数の電子源に対応して列状に設けられ、該電子源から放出された電子の照射により放射線を発生する複数のターゲットと、前記ターゲットを保持する開口を備えた遮蔽部材と、を備え、前記複数のターゲットがそれぞれ前記遮蔽部材の前記開口に保持されたマルチ放射線発生装置であって、
前記複数のターゲットは、トモシンセシス撮影と非トモシンセシス撮影の両者に用いられる両用ターゲットと、トモシンセシス撮影にのみ用いられ前記所定方向に列状に配列された複数の単用ターゲットからなる単用ターゲットアレイと、を含み、
前記両用ターゲットは前記単用ターゲットアレイとともに前記遮蔽部材に接続されていることを特徴とするマルチ放射線発生装置を提供するものである。
【手続補正３】
【補正対象書類名】明細書
【補正対象項目名】００１１
【補正方法】変更
【補正の内容】
【００１１】
また、本発明の第３は、上記本発明の第１に係るマルチ放射線発生装置と、
該マルチ放射線発生装置から放出されて被検体を透過した放射線を検出する放射線検出装置と、
前記放射線発生装置と前記放射線検出装置とを連携制御するシステム制御装置とを備えていることを特徴とする放射線撮影システムを提供するものである。
さらに、本発明の第４は、上記本発明の第２に係るマルチ放射線発生装置と、
前記マルチ放射線発生装置から放出され、被検体を透過した放射線を検出する放射線検出装置と、
前記放射線発生装置と前記放射線検出装置とを連携制御するシステム制御装置とを備えることを特徴とする放射線撮影システムを提供するものである。
【手続補正４】
【補正対象書類名】明細書
【補正対象項目名】００１８
【補正方法】変更
【補正の内容】
【００１８】
〔マルチ放射線発生装置の第１の実施形態〕
図１に示すように、本発明に係るマルチ放射線発生装置１は、電子を放出する電子源４と、電子の照射により放射線を発生するターゲット（以下の説明ではターゲット部と称する）５とを有する複数の放射線源２と、真空容器９とを備えている。各放射線源２の電子源４とターゲット部５がそれぞれ間隔をあけて一列に並べられていることで、放射線源２が列状に配置されている。なお、放射線源２のうち、トモシンセシス撮影と非トモシンセシス撮影の両者に用いられる放射線源を両用放射線源２ａ、トモシンセシス撮影にのみ用いられる放射線源２を単用放射線源２ｂとする。本実施形態における両用放射線源２ａは中央の１つであるが、本発明においては、放射線源２のうちの少なくとも１つが両用放射線源２ａであれば足り、複数の放射線源２を両用放射線源２ａとすることもできる。複数の両用放射線源２ａを設ける場合、装置のコストアップを抑制するため、放射線源２の総数の１／１０以下、特に３つ以下の個数とすることが好ましい。また、両用放射線源２ａは、非トモシンセシス撮影時に、必要な領域に放射線を照射しやすくするために、放射線源２の列の中央に配置されていることが好ましい。
【手続補正５】
【補正対象書類名】明細書
【補正対象項目名】００１９
【補正方法】変更
【補正の内容】
【００１９】
各ターゲット部５は、ターゲット層６ａと支持基板６ｂを備えており、ターゲット層６ａは支持基板６ｂの電子源４との対向面に形成されている。電子源４から放出された電子がターゲット部５のターゲット層６ａに入射すると放射線が発生する。発生した放射線は、支持基板６ｂを透過した後、マルチ放射線発生装置１の外部に放出される。